(57)【要約】【課題】  携帯電話用簡易充電器の提供。【解決手段】  接続側と導電側を具えた本体と、該本体両側を自由に被覆可能なカバーを具え、該本体の導電側は内部に電池が収容され、該カバーは本体の導電側を被覆可能で、並びに電池を位置決めし、接続側と有効な電気信号の接触を形成し、携帯電話使用者が予備の電池或いは購入した電池を導電側に組み付けて充電することができ、使用上、敏捷な効果を達成する。【選択図】        図１
0003104560.tif 000002
【実用新案登録請求の範囲】
【請求項１】
本体とカバーを具え、
該本体は、接続側と導電側を具え、該接続側に基板と該基板に接続されたコネクタと、一端が該接続側に接続されてもう一端が該導電側に接続された一組の導電片とが設けられ、該導電側に収容室が設けられ、
該カバーは該本体の接続側と導電側を自由に被覆し、充電を行なう時、該導電側の収容室が電池を内部に収容でき、該カバーが該本体の導電側を被覆し、並びに電池を位置決めして該一組の導電片と有効な電気信号の接続を形成することを特徴とする、携帯電話用簡易充電器。
【請求項２】
請求項１記載の携帯電話用簡易充電器において、前記導電側の収容室に電池の一部或いは全部の体積が収容されることを特徴とする、携帯電話用簡易充電器。
【請求項３】
請求項２記載の携帯電話用簡易充電器において、前記カバーの体積が接続側と導電側を被覆できるものとされたことを特徴とする、携帯電話用簡易充電器。
【請求項４】
請求項３記載の携帯電話用簡易充電器において、前記一組の導電片が圧縮バネ或いは板バネとされたことを特徴とする、携帯電話用簡易充電器。
【請求項５】
請求項４記載の携帯電話用簡易充電器において、前記本体の収容室の端縁の外側に接合凸縁が設けられ、該接合凸縁の辺縁がカバーの閉合時のストップ機能を形成することを特徴とする、携帯電話用簡易充電器。
【請求項６】
請求項５記載の携帯電話用簡易充電器において、前記接合凸縁とカバーの間に相互に係合する第１係合体と第２係合体が設けられたことを特徴とする、携帯電話用簡易充電器。
【請求項７】
請求項６記載の携帯電話用簡易充電器において、前記第１係合体が本体に設けられた凸粒とされ、第２係合体がカバーに設けられた凹溝とされたことを特徴とする、携帯電話用簡易充電器。
【請求項８】
請求項１記載の携帯電話用簡易充電器において、前記カバーの体積が本体の接続側を被覆できるものとされて未充電時に該カバーが接続側を封じて灰塵の付着を防止することを特徴とする、携帯電話用簡易充電器。
【請求項９】
請求項７記載の携帯電話用簡易充電器において、前記カバーの内壁に位置決めリブが設けられ、該位置決めリブにより電池が安定して収容室内に位置決めされることを特徴とする、携帯電話用簡易充電器。
【考案の詳細な説明】
【技術分野】
【０００１】
本考案は一種の充電器に係り、特に、携帯電話の充電に用いられ、機動的で敏捷な充電効果を提供できるだけでなく、防塵機能を具えた携帯電話用簡易充電器に関する。
【背景技術】
【０００２】
通信テクノロジーが発達して一人が一台の携帯電話を持つ時代となり、且つ統計によると世界の携帯電話の数量はブロードバンド、造形及び多機能等の設計が不断に提供されたこともあり、６億人を突破しつつある。現在携帯電話の充電方式には一般に外接式の充電が採用され、即ち、充電器を介して携帯電話と電源コンセントを接続するか、或いはクレードルを介して携帯電話のバッテリーと電源コンセントを接続する。関係した設計としては、例えば特許文献１、２、３等がある。しかしこのような外接式の充電方式は特定の場所でなければ行なえず、このため常に携帯電話の充電タイミングに注意し並びに予め操作することが必要であり、使用上、理想的でないところがある。
【０００３】
周知のとおり、コンビニエンスストアで各種の日用品が購入でき、且つ現在チェーン展開のコンビニエンスストアは遠隔地にも分布するようになり、このため、敏捷に必要な資源を獲得できる。ゆえに、電池を携帯電話の充電の電源とする設計があれば、消費者は機動的に充電作業を行なえ、特定の場所に制限されることがなくなる。
【０００４】
【特許文献１】米国特許第５，６８７，２３４号明細書
【特許文献２】米国特許第６，５５５，９９０号明細書
【特許文献３】米国特許第６，２３０，８６０号明細書
【考案の開示】
【考案が解決しようとする課題】
【０００５】
本考案の目的は、一種の携帯電話用簡易充電器を提供することにあり、それは、電池を電源として直接携帯電話に接続使用され、携帯電話使用者が予備の電池或いは購入した電池で充電を行なえるようにし、使用上、敏捷とする効果を達成するものとする。
【０００６】
また、本考案のもう一つの目的は、一種の携帯電話用簡易充電器を提供することにあり、それは、防塵機能を具え、充電器を不使用状態時にコネクタ部分を収納して露出させず外界の灰塵がコネクタ部分に付着するのを防止でき、電気信号の良好名接触効果を確保できるものとする。
【課題を解決するための手段】
【０００７】
請求項１の考案は、本体とカバーを具え
該本体は接続側と導電側を具え該接続側に基板と該基板に接続されたコネクタと一端が該接続側に接続されてもう一端が該導電側に接続された一組の導電片とが設けられ該導電側に収容室が設けられ
該カバーは該本体の接続側と導電側を自由に被覆し充電を行なう時該導電側の収容室が電池を内部に収容でき該カバーが該本体の導電側を被覆し並びに電池を位置決めして該一組の導電片と有効な電気信号の接続を形成することを特徴とする携帯電話用簡易充電器としている。
請求項２の考案は、請求項１記載の携帯電話用簡易充電器において前記導電側の収容室に電池の一部或いは全部の体積が収容されることを特徴とする携帯電話用簡易充電器としている。
請求項３の考案は、請求項２記載の携帯電話用簡易充電器において前記カバーの体積が接続側と導電側を被覆できるものとされたことを特徴とする携帯電話用簡易充電器としている。
請求項４の考案は、請求項３記載の携帯電話用簡易充電器において前記一組の導電片が圧縮バネ或いは板バネとされたことを特徴とする携帯電話用簡易充電器としている。
請求項５の考案は、請求項４記載の携帯電話用簡易充電器において前記本体の収容室の端縁の外側に接合凸縁が設けられ該接合凸縁の辺縁がカバーの閉合時のストップ機能を形成することを特徴とする携帯電話用簡易充電器としている。
請求項６の考案は、請求項５記載の携帯電話用簡易充電器において前記接合凸縁とカバーの間に相互に係合する第１係合体と第２係合体が設けられたことを特徴とする携帯電話用簡易充電器としている。
請求項７の考案は、請求項６記載の携帯電話用簡易充電器において前記第１係合体が本体に設けられた凸粒とされ第２係合体がカバーに設けられた凹溝とされたことを特徴とする携帯電話用簡易充電器としている。
請求項８の考案は、請求項１記載の携帯電話用簡易充電器において前記カバーの体積が本体の接続側を被覆できるものとされて未充電時に該カバーが接続側を封じて灰塵の付着を防止することを特徴とする携帯電話用簡易充電器としている。
請求項９の考案は、請求項７記載の携帯電話用簡易充電器において前記カバーの内壁に位置決めリブが設けられ該位置決めリブにより電池が安定して収容室内に位置決めされることを特徴とする携帯電話用簡易充電器としている。
【考案の効果】
【０００８】
本考案の携帯電話用簡易充電器は、接続側と導電側を具えた本体と、該本体両側を自由に被覆可能なカバーを具え、該本体の導電側は内部に電池を収容し、該カバーは本体の導電側を被覆可能で、並びに電池を位置決めし、接続側と有効な電気信号の接触を形成する。以上の特徴により、携帯電話使用者が予備の電池或いは購入した電池を導電側に組み付けて充電することができ、使用上、敏捷な効果を達成する。
【考案を実施するための最良の形態】
【０００９】
本考案の携帯電話用簡易充電器は、接続側と導電側を具えた本体と、該本体両側を自由に被覆可能なカバーを具え、該本体の導電側は内部に電池を収容し、該カバーは本体の導電側を被覆可能で、並びに電池を位置決めし、接続側と有効な電気信号の接触を形成する。
【００１０】
上記カバーの体積は該本体の接続側を被覆封鎖でき、充電を行なわない時、該カバーは接続側を閉じて灰塵が充電器のコネクタに付着するのを防止する。
【００１１】
また、上記本体の導電側に収容室が設けられ、電池の一部或いは全部の体積を収容でき、該カバーは接続側及び導電側と等しい体積を被覆できるものとされる。
【００１２】
また、該本体の接続側には一組の導電片が設けられて接続側と導電側の接続に用いられ、即ち、この一組の導電片の一端が接続側の電源回路に接続され、もう一端が導電側の電池のプラス、マイナス極に接続されて電気信号接続の効果を達成する。
【実施例１】
【００１３】
図１、２、及び図５に示されるように、本考案の携帯電話用簡易充電器は、本体２及びカバー３を具え、そのうち該本体２は接続側２０と導電側２１を具え、該接続側２０には図５も参照されたいが、電源変換用の回路として設けられた基板２０１、該基板と接続されて携帯電話の充電コネクタと電気信号の接続を行なうためのコネクタ２０２、及び圧縮バネ或いは板バネとされて一端が該基板２０１に、もう一端が該導電側２１内に位置して電池のプラス、マイナス極との接触に用いられる一組の導電片２０３、が設けられている。該導電側２１に収容室２１０（図５参照）が設けられて電池を収容する。また、該本体２の収容室２１０の端縁の外側に、接合凸縁２２が設けられ、該接合凸縁２２の辺縁がカバー３閉合時のストップ作用を提供する。該接合凸縁２２とカバー３の間には相互に係合する第１係合体２４と第２係合体２５が設けられ、該第１係合体２４は該本体２に設けられた凸粒とされ、該第２係合体２５はカバー３に設けられた凹溝とされ、これにより電池が該導電側２１に組み付けられる時に圧迫位置決めの効果を提供できる。
【００１４】
該カバー３はその体積が本体２の接続側２０及び導電側２１と同体積に設置されて、充電を行なわない時、該カバー３が接続側２０を閉じて灰塵の充電器のコネクタへの付着を防止する。また、該カバー３の内壁には位置決めリブ３１（図５）が設けられ、該電池４をしっかりと収容室２１０内に固定する。
【００１５】
図３、４を参照されたい。本考案では特に、充電を行なう時、本体２の導電側２１が電池４を内部に収容し、該カバー３が本体２の導電側２１を被覆し、並びに第１係合体２４と第２係合体２５の係合により電池４のプラス、マイナス極４０（４１）と一組の導電片２０３を位置決めして有効な電気信号の伝送を達成し、図５に示されるように、こうして電気信号伝送の目的を達成する。
【図面の簡単な説明】
【００１６】
【図１】本考案の携帯電話用簡易充電器の立体分解図である。
【図２】図１の立体組合せ図である。
【図３】本考案の携帯電話用簡易充電器への電池取り付けを示す立体分解図である。
【図４】本考案の携帯電話用簡易充電器への電池取り付けを示す立体図である。
【図５】図４の５−５断面図である。
【符号の説明】
【００１７】
１  携帯電話用簡易充電器          ２  本体
３  カバー                        ４  電池
２０  接続側                      ２１  導電側
２２  接合凸縁                    ４０、４１  プラス、マイナス極
２４  第１係合体                  ２５  第２係合体
２０１  基板                      ２０２  コネクタ
２０３  導電片                    ３１  位置決めリブ
【図１】
0003104560.tif 000003
【図２】
0003104560.tif 000004
【図３】
0003104560.tif 000005
【図４】
0003104560.tif 000006
【図５】
0003104560.tif 000007